(57)【要約】【課題】測定対象である環境状態量の種類の変更を容易化する。【解決手段】センサを有し環境状態量を測定するセンサユニット５と、センサユニット５と通信可能に接続されると共に、センサユニット５を交換可能に接続され、センサユニット５による環境状態量の測定結果情報をセンサユニット５から取得する測定装置１と、ローカルエリアネットワーク８を介して測定装置１と通信可能に接続され、測定装置１から測定結果情報を取得するデータ制御装置４とを備えている。【選択図】　　　図１
2004094870.tif 000002
【特許請求の範囲】
【請求項１】
環境の状態を表わす環境状態量を測定すると共に測定状態を監視する環境状態量の測定監視システムであって、
センサを有し環境状態量を測定するセンサユニットと、
前記センサユニットと通信可能に接続されると共に、前記センサユニットを交換可能に接続され、前記センサユニットによる環境状態量の測定結果情報を前記センサユニットから取得する測定装置と、
ローカルエリアネットワークを介して前記測定装置と通信可能に接続され、前記測定装置から前記測定結果情報を取得するデータ制御装置とを備えることを特徴とする環境状態量の測定監視システム。
【請求項２】
前記データ制御装置とインターネットを介して通信可能に接続され、前記データ制御装置から前記測定結果情報を取得し、取得された測定結果情報を外部から目視可能に表示する監視装置と、
前記監視装置とインターネットを介して通信可能に接続され、前記測定結果情報を前記監視装置から取得して格納するデータベースサーバ装置とを備えることを特徴とする請求項１に記載の環境状態量の測定監視システム。
【請求項３】
前記センサユニットは、センサの種類を表わすセンサ種別情報を格納するセンサ種別記憶手段を備え、
前記測定装置は、接続されたセンサユニットの有するセンサ種別情報を取得してローカルエリアネットワークを介して前記データ制御装置へ送信するセンサ種別取得手段を備え、
前記データ制御装置は、ローカルエリアネットワークを介して接続された測定装置の設置位置を表わす設置位置情報をローカルアドレスに対応付けて格納する設置位置記憶手段と、前記センサ種別取得手段からのセンサ種別情報を受信し、ローカルアドレスに基づいて対応する設置位置情報を前記設置位置記憶手段から読み出して、センサ種別情報及び設置位置情報を対応付けて前記監視装置へ伝送する設置位置対応付け手段とを備え、
前記監視装置及びデータベースサーバ装置の少なくとも一の装置は、センサ種別情報と対応する設置位置情報とを外部から目視可能に表示する設置位置表示手段を備えることを特徴とする請求項２に記載の環境状態量の測定監視システム。
【請求項４】
前記測定装置は、当該測定装置の設置された環境条件に基づいて設定される第１補正データを格納する第１補正情報記憶手段を備え、
前記センサユニットは、前記第１補正情報記憶手段から前記第１補正データを取得し、取得された第１補正データを用いて当該センサユニットによる測定結果情報の補正及び当該センサユニットの有するセンサを較正するためのデータである較正データの補正の少なくとも一方を行なう第１データ補正手段を備えることを特徴とする請求項１〜３のいずれかに記載の環境状態量の測定監視システム。
【請求項５】
前記データ制御装置は、ローカルエリアネットワークを介して接続された測定装置毎に測定装置の設置された環境条件に基づいて設定される第１補正データを格納する第１補正情報記憶手段と、外部からの入力を受け付けて前記第１補正情報記憶手段に格納されている前記第１補正データを変更する第１補正情報変更手段とを備え、
前記センサユニットは、ローカルエリアネットワーク及び前記測定装置を介して前記第１補正情報記憶手段から前記第１補正データを取得し、取得された第１補正データを用いて当該センサユニットによる測定結果情報の補正及び当該センサユニットの有するセンサを較正するためのデータである較正データの補正の少なくとも一方を行なう第１データ補正手段を備えることを特徴とする請求項１〜３のいずれかに記載の環境状態量の測定監視システム。
【請求項６】
前記測定装置は、前記センサユニットが装着されたか否かを判定し、前記センサユニットが装着された場合にその旨の情報であるセンサ装着情報を前記データ制御装置に伝送する装着判定手段を備え、
前記データ制御装置は、前記センサ装着情報に基づいて前記センサユニットが前記測定装置に装着されたタイミングからの経過時間をカウントする経過時間測定手段と、前記経過時間に基づいて設定される第２補正データを格納する第２補正情報記憶手段と、前記経過時間測定手段による経過時間に対応する前記第２補正データを前記第２補正情報記憶手段から読み出して前記センサユニットへ伝送する第２補正データ送出手段とを備え、
前記センサユニットは、ローカルエリアネットワーク及び前記測定装置を介して前記第２補正データ送出手段から前記第２補正データを取得し、取得された第２補正データを用いて当該センサユニットによる測定結果情報の補正及び当該センサユニットの有するセンサを較正するためのデータである較正データの補正の少なくとも一方を行なう第２データ補正手段を備えることを特徴とする請求項１〜５のいずれかに記載の環境状態量の測定監視システム。
【請求項７】
前記データ制御装置は、前記センサ装着情報を受信した場合に、このセンサ装着情報を送信した測定装置について、測定結果情報の取得を開始することを特徴とする請求項６に記載の環境状態量の測定監視システム。
【請求項８】
前記データ制御装置は、前記センサ装着情報を受信した場合に、このセンサ装着情報を送信した測定装置について、測定結果情報の取得頻度を通常の取得頻度に対して所定期間高くすることを特徴とする請求項６または７に記載の環境状態量の測定監視システム。
【請求項９】
個人を識別する情報である個人情報が格納された個人情報記憶手段と通信可能に接続されると共に、前記個人情報記憶手段を交換可能に接続され、前記個人情報記憶手段から個人情報を読み出す個人情報読出し手段と、読み出された個人情報を前記測定装置に伝送する個人情報伝送手段とを有する個人情報処理ユニットを備え、
前記測定装置は、前記個人情報処理ユニットと通信可能に接続されると共に、前記センサユニットと前記個人情報処理ユニットとを交換可能に接続され、前記個人情報を受信した場合には、ローカルエリアネットワークを介して前記データ制御装置に前記個人情報を送信し、
前記データ制御装置は、前記個人情報を受信した場合には、その個人情報を受信した測定装置のローカルアドレスと個人情報とを対応付けて前記監視装置に送信し、
前記監視装置及びデータベースサーバ装置の少なくとも一の装置は、ローカルアドレスと前記個人情報とを対応付けて外部から目視可能に表示する個人情報表示手段を備えることを特徴とする請求項２または３に記載の環境状態量の測定監視システム。
【発明の詳細な説明】
【０００１】
【発明の属する技術分野】
本発明は、環境の状態を表わす環境状態量を測定すると共に測定状態を監視する環境状態量の測定監視システムに関するものである。
【０００２】
【従来の技術】
従来、温度センサ、湿度センサ、火災検知センサ、人体検知センサ等の環境状態量を測定するセンサを備える複数の測定装置を用いて、複数の位置における環境状態量を測定する場合には、インターネットを介して各測定装置に通信可能に接続された監視装置によって、各測定装置の測定状態の監視が行なわれていた。また、インターネットを介して測定装置及び監視装置に通信可能に接続されたデータベースサーバ装置（以下、ＤＢサーバという）によって、測定装置による測定結果等が格納されていた（例えば、特許文献１参照）。
【０００３】
図６は、従来の環境状態量の測定監視システムの構成図の一例である。測定監視システムは、環境状態量を測定する複数の測定装置１００と、インターネット９００を介して測定装置１００と通信可能に接続され測定装置１００の測定状態の監視を行なう監視装置２００と、インターネット９００を介して測定装置１００及び監視装置２００に通信可能に接続され測定装置１００の測定結果情報を格納するＤＢサーバ３００とを備えている。
【０００４】
監視装置２００は、インターネット９００を介して測定装置１００に対して測定結果情報の返信を要求し、測定結果情報の返信を受信してインターネット９００を介してＤＢサーバ３００に送信し、ＤＢサーバ３００は測定結果情報を受信して格納する。
【０００５】
このようにして、監視装置２００によって、測定結果情報のＤＢサーバ３００への格納（測定状態の監視）が行なわれていた。
【０００６】
【特許文献１】
特開平１１−８８９６７号公報
【０００７】
【発明が解決しようとする課題】
しかし、上述の従来の測定監視システムにおいては、測定装置１００が、インターネット９００への接続機能を備えたインターネット接続部１０１と、センサによる測定機能を備えた測定部１０２とを有しているため、測定装置１００の設置された位置で測定対象である環境状態量の種類を変更する場合（例えば、温度センサから火災検知センサへセンサを変更する場合）に、インターネット接続部１０１と測定部１０２と有する測定装置１００を取り替える必要が有る為、新たに測定装置１００を製作する費用や取り替えに要する施工費用等が増大すると共に、取り替え作業の容易化を阻害する要因となっていた。
【０００８】
本発明は上記の課題に鑑みてなされたもので、測定対象である環境状態量の種類を容易に変更できる環境状態量の測定監視システムを提供することを目的とするものである。
【０００９】
【課題を解決するための手段】
請求項１に記載の環境状態量の測定監視システムは、環境の状態を表わす環境状態量を測定すると共に測定状態を監視する環境状態量の測定監視システムであって、センサを有し環境状態量を測定するセンサユニットと、前記センサユニットと通信可能に接続されると共に、前記センサユニットを交換可能に接続され、前記センサユニットによる環境状態量の測定結果情報を前記センサユニットから取得する測定装置と、ローカルエリアネットワークを介して前記測定装置と通信可能に接続され、前記測定装置から前記測定結果情報を取得するデータ制御装置とを備えることを特徴としている。
【００１０】
上記の構成によれば、センサユニットによって、センサを用いて環境状態量が測定され、測定装置によって、その測定結果情報がセンサユニットから取得される。そして、データ制御装置によって、ローカルエリアネットワークを介して、この測定結果情報が測定装置から取得される。このようにして、データ制御装置にローカルエリアネットワークを介して接続された測定装置に装着されたセンサユニットによる環境状態量の測定結果情報が、データ制御装置によって一元的に管理される。
【００１１】
更に、測定装置がセンサユニットを交換可能に接続されているため、接続されていたセンサユニットを測定装置から取り外し、所望する環境状態量を測定し得るセンサユニットと交換して測定装置に装着することによって、測定対象である環境状態量を変更することができる。従って、測定対象である環境状態量を容易に変更することが可能となる。
【００１２】
請求項２に記載の環境状態量の測定監視システムは、前記データ制御装置とインターネットを介して通信可能に接続され、前記データ制御装置から前記測定結果情報を取得し、取得された測定結果情報を外部から目視可能に表示する監視装置と、前記監視装置とインターネットを介して通信可能に接続され、前記測定結果情報を前記監視装置から取得して格納するデータベースサーバ装置とを備えることを特徴としている。
【００１３】
上記の構成によれば、監視装置によって、インターネットを介してデータ制御装置から測定結果情報が取得され、取得された測定結果情報が外部から目視可能に表示される。そして、データベースサーバ装置によって、インターネットを介して測定結果情報が監視装置から取得されて格納される。
【００１４】
このように、センサユニットによる測定結果情報が、監視装置によって外部から目視可能に表示されるため、測定状態の監視が容易になる。また、センサユニットによる測定結果情報が、データベースサーバ装置によって一元的に格納されるため、データの管理が効率的に行なわれる。
【００１５】
請求項３に記載の環境状態量の測定監視システムは、前記センサユニットが、センサの種類を表わすセンサ種別情報を格納するセンサ種別記憶手段を備え、前記測定装置が、接続されたセンサユニットの有するセンサ種別情報を取得してローカルエリアネットワークを介して前記データ制御装置へ送信するセンサ種別取得手段を備え、前記データ制御装置が、ローカルエリアネットワークを介して接続された測定装置の設置位置を表わす設置位置情報をローカルアドレスに対応付けて格納する設置位置記憶手段と、前記センサ種別取得手段からのセンサ種別情報を受信し、ローカルアドレスに基づいて対応する設置位置情報を設置位置記憶手段から読み出して、センサ種別情報及び設置位置情報を対応付けて前記監視装置へ伝送する設置位置対応付け手段とを備え、前記監視装置及びデータベースサーバ装置の少なくとも一の装置が、センサ種別情報と対応する設置位置情報とを外部から目視可能に表示する設置位置表示手段を備えることを特徴としている。
【００１６】
上記の構成によれば、センサユニットのセンサ種別記憶手段に、センサの種類を表わすセンサ種別情報が格納されており、測定装置のセンサ種別取得手段によって、接続されたセンサユニットの有するセンサ種別情報が取得されてローカルエリアネットワークを介してデータ制御装置へ送信される。そして、データ制御装置の設置位置記憶手段に、ローカルエリアネットワークを介して接続された測定装置の設置位置を表わす設置位置情報がローカルアドレスに対応付けて格納されており、データ制御装置の設置位置対応付け手段によって、前記センサ種別取得手段からのセンサ種別情報が受信され、ローカルアドレスに基づいて対応する設置位置情報が前記設置位置記憶手段から読み出されて、センサ種別情報及び設置位置情報が対応付けられて前記監視装置へ伝送される。更に、監視装置及びデータベースサーバ装置の少なくとも一の装置の設置位置表示手段によって、センサ種別情報と対応する設置位置情報とが外部から目視可能に表示される。
【００１７】
従って、測定装置に接続されているセンサユニットの有するセンサの種類とその設置位置とが対応付けて表示されるため、センサユニットが交換された場合にも、現時点で測定装置に接続されているセンサの種類と設置位置とが容易に確認される。
【００１８】
請求項４に記載の環境状態量の測定監視システムは、前記測定装置が、当該測定装置の設置された環境条件に基づいて設定される第１補正データを格納する第１補正情報記憶手段を備え、前記センサユニットが、前記第１補正情報記憶手段から前記第１補正データを取得し、取得された第１補正データを用いて当該センサユニットによる測定結果情報の補正及び当該センサユニットの有するセンサを較正するためのデータである較正データの補正の少なくとも一方を行なう第１データ補正手段を備えることを特徴としている。
【００１９】
上記の構成によれば、測定装置の第１補正情報記憶手段に、測定装置の設置された環境条件に基づいて設定される第１補正データが格納されており、センサユニットの第１データ補正手段によって、前記第１補正情報記憶手段から前記第１補正データが取得され、取得された第１補正データを用いて当該センサユニットによる測定結果情報の補正及び当該センサユニットの有するセンサを較正するためのデータである較正データの補正の少なくとも一方が行われる。
【００２０】
従って、測定装置の設置された環境条件に基づいて設定される第１補正データを用いて、センサユニットによる測定結果情報の補正及びセンサユニットの有するセンサを較正するためのデータである較正データの補正の少なくとも一方が行われるため、センサユニットの装着されている測定装置が設置されている環境条件（すなわちセンサユニットの設置されている環境条件）に適した測定結果情報の補正及び較正データの補正の少なくとも一方が行なわれる。
【００２１】
請求項５に記載の環境状態量の測定監視システムは、前記データ制御装置が、ローカルエリアネットワークを介して接続された測定装置毎に測定装置の設置された環境条件に基づいて設定される第１補正データを格納する第１補正情報記憶手段と、外部からの入力を受け付けて前記第１補正情報記憶手段に格納されている前記第１補正データを変更する第１補正情報変更手段とを備え、前記センサユニットが、ローカルエリアネットワーク及び前記測定装置を介して前記第１補正情報記憶手段から前記第１補正データを取得し、取得された第１補正データを用いて当該センサユニットによる測定結果情報の補正及び当該センサユニットの有するセンサを較正するためのデータである較正データの補正の少なくとも一方を行なう第１データ補正手段を備えることを特徴としている。
【００２２】
上記の構成によれば、データ制御装置の第１補正情報記憶手段に、ローカルエリアネットワークを介して接続された測定装置毎に測定装置の設置された環境条件に基づいて設定される第１補正データが格納されており、データ制御装置の第１補正情報変更手段によって、外部からの入力が受け付けられて前記第１補正情報記憶手段に格納されている前記第１補正データが変更される。そして、センサユニットの第１データ補正手段によって、ローカルエリアネットワーク及び前記測定装置を介して前記第１補正情報記憶手段から前記第１補正データが取得され、取得された第１補正データを用いて当該センサユニットによる測定結果情報の補正及び当該センサユニットの有するセンサを較正するためのデータである較正データの補正の少なくとも一方が行なわれる。
【００２３】
このように、測定装置の設置された環境条件に基づいて設定される第１補正データを用いて、センサユニットによる測定結果情報の補正及びセンサユニットの有するセンサを較正するためのデータである較正データの補正の少なくとも一方が行われるため、センサユニットの装着されている測定装置が設置されている環境条件（すなわちセンサユニットの設置されている環境条件）に適した測定結果情報の補正及び較正データの補正の少なくとも一方が行なわれる。
【００２４】
また、データ制御装置の第１補正情報変更手段によって、外部からの入力が受け付けられて補正情報記憶手段に格納されている第１補正データが変更されるため、適正な第１補正データへの変更が容易に行なわれる。
【００２５】
更に、ローカルエリアネットワークを介して接続された測定装置毎に測定装置の設置された環境条件に基づいて設定される第１補正データが、一元的にデータ制御装置の第１補正情報記憶手段に格納されるため、データの管理が効率的に行なわれる。
【００２６】
請求項６に記載の環境状態量の測定監視システムは、前記測定装置が、前記センサユニットが装着されたか否かを判定し、前記センサユニットが装着された場合にその旨の情報であるセンサ装着情報を前記データ制御装置に伝送する装着判定手段を備え、前記データ制御装置が、前記センサ装着情報に基づいて前記センサユニットが前記測定装置に装着されたタイミングからの経過時間をカウントする経過時間測定手段と、前記経過時間に基づいて設定される第２補正データを格納する第２補正情報記憶手段と、前記経過時間測定手段による経過時間に対応する前記第２補正データを前記第２補正情報記憶手段から読み出して前記センサユニットへ伝送する第２補正データ送出手段とを備え、前記センサユニットが、ローカルエリアネットワーク及び前記測定装置を介して前記第２補正データ送出手段から前記第２補正データを取得し、取得された第２補正データを用いて当該センサユニットによる測定結果情報の補正及び当該センサユニットの有するセンサを較正するためのデータである較正データの補正の少なくとも一方を行なう第２データ補正手段を備えることを特徴としている。
【００２７】
上記の構成によれば、測定装置の装着判定手段によって、センサユニットが装着されたか否かが判定され、センサユニットが装着された場合にその旨の情報であるセンサ装着情報がデータ制御装置に伝送される。そして、データ制御装置の第２補正情報記憶手段に、センサユニットが測定装置に装着されたタイミングからの経過時間に基づいて設定される第２補正データが格納されており、データ制御装置の経過時間測定手段によって、前記センサ装着情報に基づいてセンサユニットが測定装置に装着されたタイミングからの経過時間がカウントされ、データ制御装置の第２補正データ送出手段によって、経過時間測定手段による経過時間に対応する第２補正データが第２補正情報記憶手段から読み出されてセンサユニットへ伝送される。更に、センサユニットの第２データ補正手段によって、ローカルエリアネットワーク及び測定装置を介して前記第２補正データ送出手段から第２補正データが取得され、取得された第２補正データを用いて当該センサユニットによる測定結果情報の補正及び当該センサユニットの有するセンサを較正するためのデータである較正データの補正の少なくとも一方が行なわれる。
【００２８】
このようにして、センサユニットが測定装置に装着されたタイミングからの経過時間に基づいて設定される第２補正データを用いて、当該センサユニットによる測定結果情報の補正及び当該センサユニットの有するセンサを較正するためのデータである較正データの補正の少なくとも一方が行なわれるため、センサユニットの有するセンサ等の経時的な特性の変化に適した測定結果情報の補正及び較正データの補正の少なくとも一方が行なわれる。
【００２９】
請求項７に記載の環境状態量の測定監視システムは、前記データ制御装置が、前記センサ装着情報を受信した場合に、このセンサ装着情報を送信した測定装置について、測定結果情報の取得を開始することを特徴としている。
【００３０】
上記の構成によれば、データ制御装置によって、センサユニットが測定装置に装着された旨の情報であるセンサ装着情報が受信された場合に、このセンサ装着情報が送信された測定装置について、測定結果情報の取得が開始される。
【００３１】
従って、測定装置にセンサユニットが装着されていない場合には、センサ装着情報がデータ制御装置によって受信されないため、データ制御装置によって測定結果情報の取得が行なわれない。すなわち、データ制御装置によって、ローカルエリアネットワークを介して接続されている測定装置の内、測定結果情報を取得する必要のある測定装置（すなわち、センサユニットが装着されている測定装置）のみに対して測定結果情報の取得動作が行なわれるため、効率的に測定結果情報の取得が行なわれる。
【００３２】
請求項８に記載の環境状態量の測定監視システムは、前記データ制御装置が、前記センサ装着情報を受信した場合に、このセンサ装着情報を送信した測定装置について、測定結果情報の取得頻度を通常の取得頻度に対して所定期間高くすることを特徴としている。
【００３３】
上記の構成によれば、データ制御装置によって、センサユニットが測定装置に装着された旨の情報であるセンサ装着情報を受信した場合に、このセンサ装着情報を送信した測定装置について、測定結果情報の取得頻度が通常の取得頻度に対して所定期間高される。
【００３４】
従って、センサユニットが新たに測定装置に装着された場合、または、センサユニットが一旦なんらかの事情で測定装置から取り外され、その後再度（又は、別のセンサユニットが）測定装置に装着された場合には、所定期間の間は測定結果が安定しない場合がある。このような場合に、上述のように、測定結果情報の取得頻度が通常の取得頻度に対して所定期間（測定結果が安定するまでの期間）高くされるため、監視装置等によって、測定結果が安定したか否かの判定を正確に行なうことが可能となる。
【００３５】
請求項９に記載の環境状態量の測定監視システムは、個人を識別する情報である個人情報が格納された個人情報記憶手段と通信可能に接続されると共に、前記個人情報記憶手段を交換可能に接続され、前記個人情報記憶手段から個人情報を読み出す個人情報読出し手段と、読み出された個人情報を前記測定装置に伝送する個人情報伝送手段とを有する個人情報処理ユニットを備え、前記測定装置が、前記個人情報処理ユニットと通信可能に接続されると共に、前記センサユニットと前記個人情報処理ユニットとを交換可能に接続され、前記個人情報を受信した場合には、ローカルエリアネットワークを介して前記データ制御装置に前記個人情報を送信し、前記データ制御装置が、前記個人情報を受信した場合には、その個人情報を発信した測定装置のローカルアドレスと個人情報とを対応付けて前記監視装置に送信し、前記監視装置及びデータベースサーバ装置の少なくとも一の装置が、ローカルアドレスと前記個人情報とを対応付けて外部から目視可能に表示する個人情報表示手段を備えることを特徴としている。
【００３６】
上記の構成によれば、個人情報処理ユニットの個人情報読出し手段によって、個人情報記憶手段に格納された個人を識別する情報である個人情報が読み出され、個人情報処理ユニットの個人情報伝送手段によって、読み出された個人情報が測定装置に伝送される。そして、測定装置によって、ローカルエリアネットワークを介しデータ制御装置に個人情報が送信され、データ制御装置によって、個人情報とその個人情報を受信した測定装置のローカルアドレスとが対応付けられて監視装置に送信される。更に、監視装置（またはデータベースサーバ装置）の個人情報表示手段によって、ローカルアドレスと個人情報とが対応付けられて外部から目視可能に表示される。
【００３７】
ここで、測定装置は、前記個人情報処理ユニットと通信可能に接続されると共に、前記センサユニットと前記個人情報処理ユニットとを交換可能に接続されているため、センサユニットに代えて個人情報処理ユニットを測定装置に装着することによって、容易に個人情報処理ユニットに装着された個人情報記憶手段に格納された個人情報が測定装置に読み出される。
【００３８】
そして、個人情報記憶手段に格納された個人を識別する情報である個人情報とその個人情報を受信した測定装置のローカルアドレスとが対応付けられて外部から目視可能に表示されるため、測定装置に装着された個人情報処理ユニットに個人情報記憶手段を装着した者と場所とを特定することが可能となる。
【００３９】
更に、測定装置は、前記個人情報処理ユニットと通信可能であると共に、前記センサユニットと前記個人情報処理ユニットとが交換可能であるため、環境状態量の測定を行なう場合には、測定装置にセンサユニットを装着し、人員の配置を把握する場合には、測定装置にセンサユニットに替えて個人情報処理ユニットを装着して個人情報処理ユニットに個人情報記憶手段を装着すればよい。つまり、環境状態量の測定と人員の配置の確認とが容易に且つ効率的に行なわれる。
【００４０】
【発明の実施の形態】
図１は、本発明に係る環境状態量の測定監視システムの構成を表わす構成図の一例である。測定監視システムは、センサを有し環境状態量を測定するセンサユニット５と、個人を識別する情報である個人情報を格納するＩＤカード７（個人情報記憶手段に相当する）から個人情報を読み出す個人情報処理ユニット６と、センサユニット５（または、個人情報処理ユニット６）と通信可能に接続されると共に、センサユニット５及び個人情報処理ユニット６を交換可能に接続され、センサユニット５による環境状態量の測定結果情報をセンサユニット５から取得し、個人情報処理ユニット６から個人情報を取得する測定装置１と、ローカルエリアネットワーク（以下、ＬＡＮという）８を介して測定装置１と通信可能に接続され、測定装置１から測定結果情報及び個人情報を取得するデータ制御装置４と、データ制御装置４とインターネット（以下、ＷＷＷという）９を介して通信可能に接続され、データ制御装置４から測定結果情報及び個人情報を取得し、取得された測定結果情報及び個人情報を外部から目視可能に表示する監視装置２と、監視装置２とＷＷＷ９を介して通信可能に接続され、測定結果情報及び個人情報を監視装置２から取得して格納するデータベースサーバ装置（以下、ＤＢサーバという）３とを備えている。
【００４１】
センサユニット５は、測定装置１との間の情報の送受信を行なうインターフェイス部５１と、センサを有し環境状態量の測定を行ない測定結果情報を生成するセンサ部５２とを備え、測定結果情報を測定装置１からの要求に従い（または所定時間（例えば５秒）間隔で）測定装置１に送信するものである。
【００４２】
個人情報処理ユニット６は、測定装置１との間の情報の送受信を行なうインターフェイス部６１（個人情報伝送手段に相当する）と、ＩＤカード７が装着されたタイミングでＩＤカード７から個人情報を読み出す個人情報読出し部６２とを備えており、個人情報読出し部６２（個人情報読出し手段に相当する）によってＩＤカード７から読み出された時点で（または所定時間（例えば１秒）後に）個人情報を測定装置１に送信するものである。
【００４３】
測定装置１は、センサユニット５及び個人情報ユニット６との間の情報の送受信を行なうインターフェイス部１２と、ローカルアドレスを有しＬＡＮ８を介してデータ制御装置４との間の情報の送受信を行なうデータ伝送部１１とを備えており、測定結果情報及び個人情報をデータ制御装置４からの要求に従いデータ制御装置４に伝送するものである。
【００４４】
ここで、センサユニット５のインターフェイス部５１、個人情報処理ユニット６のインターフェイス部６１及び測定装置１のインターフェイス部１２は、例えば、ＩＥＥＥ１４５１．２の規格に準拠した通信プロトコル及びデータ形式に基づいて通信が行なわれる。
【００４５】
データ制御装置４は、ＬＡＮ８を介して接続された各測定装置１との間の情報の送受信を行なうデータ伝送部４２と、ＩＰアドレスを有しＷＷＷ９を介して監視装置２との間の情報の送受信を行なうインターネット接続部４１とを備えており、所定時間（例えば、１秒）間隔でＬＡＮ８を介して接続された各測定装置１から測定結果情報及び個人情報を取得して、所定時間（例えば１０秒）間隔で（または監視装置２からの要求に従い）測定結果情報及び個人情報を監視装置２に伝送するものである。なお、データ制御装置４は、個人情報を監視装置２に伝送する場合には、個人情報が送信された測定装置１のローカルアドレスと個人情報とを対応付けて監視装置２に伝送するものである。
【００４６】
監視装置２は、ローカルアドレスと個人情報とを対応付けて外部から目視可能に表示する（例えば、モニタを備えてモニタ画面上にローカルアドレスと個人情報とを対応付けて表示する）個人情報表示部２２（個人情報表示手段に相当する）を備え、データ制御装置４から測定結果情報を取得して外部から目視可能に表示する（例えば、モニタを備えてモニタ画面上に測定結果情報を表示する）と共に、測定結果情報及び個人情報をＤＢサーバ３へ送信するものである。
【００４７】
ここで、測定結果情報がセンサユニット５のセンサ部５２で得られてからＤＢサーバ３に格納されるまでの処理フローについて簡単に説明する。まず、センサユニット５のセンサ部５２によって測定結果情報が生成される。そして、センサユニット５のインターフェイス部５１と測定装置１のインターフェイス部１２とによって、測定結果情報がセンサユニット５から測定装置１に伝送される。ついで、測定装置１のデータ伝送部１１とデータ制御装置４のデータ伝送部４２とによって、データ制御装置４からの要求に従って測定結果情報がＬＡＮ８を介して測定装置１からデータ制御装置４に伝送される。つぎに、監視装置２からの要求に従ってデータ制御装置４のインターネット接続部４１によって、ＷＷＷ９を介してデータ制御装置４から監視装置２へ測定結果情報が伝送される。そして、監視装置２によって、測定結果情報がモニタ画面上に表示される。ついで、ＷＷＷ９を介して監視装置２からＤＢサーバ３へ測定結果情報が伝送され、ＤＢサーバ３に格納される。
【００４８】
つぎに、個人情報が個人情報処理ユニット６の個人情報読出し部６２でＩＤカード７から読み出されてからＤＢサーバ３に格納されるまでの処理フローについて簡単に説明する。まず、個人情報処理ユニット６の個人情報読出し部６２によって、ＩＤカード７から個人情報が読み出される。そして、個人情報処理ユニット６のインターフェイス部６１と測定装置１のインターフェイス部１２とによって、個人情報が個人情報処理ユニット６から測定装置１に伝送される。ついで、測定装置１のデータ伝送部１１とデータ制御装置４のデータ伝送部４２とによって、データ制御装置４からの要求に従って個人情報が測定装置１のローカルアドレスと対応付けられてＬＡＮ８を介して測定装置１からデータ制御装置４に伝送される。つぎに、監視装置２からの要求に従ってデータ制御装置４のインターネット接続部４１によって、ＷＷＷ９を介してデータ制御装置４から監視装置２へ個人情報とローカルアドレスとが伝送される。そして、監視装置２の個人情報表示部２２によって、個人情報がローカルアドレスと対応付けられてモニタ画面上に表示される。ついで、ＷＷＷ９を介して監視装置２からＤＢサーバ３へ個人情報とローカルアドレスとが伝送され、ＤＢサーバ３に格納される。
【００４９】
このようにして、データ制御装置４にＬＡＮ８を介して接続された測定装置１に装着されたセンサユニット５による環境状態量の測定結果情報が、データ制御装置４によって一元的に把握される。そして、センサユニット５による測定結果情報が、監視装置２によって外部から目視可能に表示されるため、測定状態の監視が容易になる。また、センサユニット５による測定結果情報が、ＤＢサーバ３によって一元的に格納されるため、データの管理が効率的に行なわれる。
【００５０】
また、測定装置１がセンサユニット５を交換可能に接続されているため、接続されていたセンサユニット５を測定装置１から取り外し、所望する環境状態量を測定し得るセンサユニット５と交換して測定装置１に装着することによって、測定対象である環境状態量を変更することができる。従って、測定対象である環境状態量を容易に変更することが可能となる。
【００５１】
更に、測定装置１は、個人情報処理ユニット６と通信可能に接続されると共に、センサユニット５と個人情報処理ユニット６とを交換可能に接続されているため、センサユニット５に代えて個人情報処理ユニット６を測定装置１に装着することによって、容易に個人情報処理ユニット６に装着されたＩＤカード７に格納された個人情報が測定装置１に読み出される。そして、ＩＤカード７に格納された個人を識別する情報である個人情報とその個人情報を発信した測定装置１のローカルアドレスとが対応付けられて外部から目視可能に表示されるため、測定装置１に装着された個人情報処理ユニット６にＩＤカード７を装着した者（ＩＤカード７の所有者）と場所とを特定することが可能となる。
【００５２】
加えて、測定装置１は、個人情報処理ユニット６と通信可能であると共に、センサユニット５と個人情報処理ユニット６とが交換可能であるため、環境状態量の測定を行なう場合には、測定装置１にセンサユニット５を装着し、人員の配置を把握する場合には、測定装置１にセンサユニット５に替えて個人情報処理ユニット６を装着して個人情報処理ユニット６にＩＤカード７を装着すればよい。つまり、環境状態量の測定と人員の配置の確認とが容易に且つ効率的に行なわれる。
【００５３】
再び図１に戻って説明する。センサユニット５は、センサの種類（例えば、温度センサ、湿度センサ、人体検知センサ等の種類）を表わすセンサ種別情報を格納するセンサ種別記憶部５３（センサ種別記憶手段に相当する）を備え、測定装置１は、接続されたセンサユニット５の有するセンサ種別情報を取得してＬＡＮ８を介してデータ制御装置４へ送信するセンサ種別取得部１３（センサ種別取得手段に相当する）を備る。そして、データ制御装置４は、ＬＡＮ８を介して接続された測定装置１の設置位置を表わす設置位置情報をローカルアドレスに対応付けて格納する設置位置記憶部４３（設置位置記憶手段に相当する）と、センサ種別取得部１３からのセンサ種別情報を受信し、ローカルアドレスに基づいて対応する設置位置情報を設置位置記憶部４３から読み出して、センサ種別情報及び設置位置情報を対応付けて監視装置２へ伝送する設置位置対応付け部４４（設置位置対応付け手段に相当する）とを備える。また、監視装置２は、センサ種別情報と対応する設置位置情報とを外部から目視可能に表示する（例えば、モニタを備えてモニタ画面上にセンサ種別情報と設置位置情報とを対応付けて表示する）設置位置表示部２１（設置位置表示手段に相当する）を備える。
【００５４】
ここで、センサ種別情報がセンサユニット５のセンサ種別記憶部５３から読み出されてからＤＢサーバ３に格納されるまでの処理フローについて簡単に説明する。まず、測定装置１のセンサ種別取得部１３からの指示に基づいて、センサユニット５のセンサ種別記憶部５３に格納されているセンサ種別情報が読み出されて、センサユニット５のインターフェイス部５１と測定装置１のインターフェイス部１２とによって、読み出されたセンサ種別情報がセンサユニット５から測定装置１に伝送される。ついで、データ制御装置４の設置位置対応付け部４４からの指示に基づいて、測定装置１のデータ伝送部１１とデータ制御装置４のデータ伝送部４２とによって、センサ種別情報がＬＡＮ８を介して測定装置１からデータ制御装置４に伝送されると共に、測定装置１のローカルアドレスに基づいて対応する設置位置情報が設置位置記憶部４３から読み出されて、センサ種別情報と設置位置情報とが対応付けられる。つぎに、監視装置２からの要求に従ってデータ制御装置４のインターネット接続部４１によって、ＷＷＷ９を介してデータ制御装置４から監視装置２へセンサ種別情報及び設置位置情報が伝送される。そして、監視装置２の設置位置表示部２１によって、センサ種別情報及び設置位置情報がモニタ画面上に表示される。ついで、ＷＷＷ９を介して監視装置２からＤＢサーバ３へセンサ種別情報及び設置位置情報が伝送され、ＤＢサーバ３に格納される。
【００５５】
図２は、センサ種別情報及び設置位置情報が監視装置２のモニタに表示された画面図の一例である。（ａ）は、センサユニット５が各部屋に配置されたビルの断面の概念図であり、（ｂ）は、（ａ）に示すビルに関して、センサ種別情報及び設置位置情報が表示された画面図である。（ａ）に示すように、ビルは３階建てであって、各階には２つの部屋（計６つの部屋）ＰＡ〜ＰＦが設けられており、各部屋ＰＡ〜ＰＦには測定装置１ａ〜１ｆが設けられている。測定装置１ａ、１ｆには、ＣＯ２濃度を測定するセンサを備えたセンサユニット５ａ及び５ｆが装着され、測定装置１ｂ、１ｄには、人体を検知するセンサを備えたセンサユニット５ｂ及び５ｄが装着され、測定装置１ｃ、１ｅには、温度を測定するセンサを備えたセンサユニット５ｃ及び５ｅが装着されている。
【００５６】
（ｂ）に示すにように、画面図８００には、画面の略中央部に（ａ）のビルの各部屋ＰＡ〜ＰＦを表わす部屋８ＰＡ〜８ＰＦが表示され、部屋８ＰＡ〜８ＰＦには設置されたセンサユニット５ａ〜５ｆの有するセンサの種類を識別可能に表示する「△」、「○」等のマーク８０２が表示されている。そして、画面図８００には、画面の右側部にマーク８０２の意味を示す凡例表示部８０３が表示されている。凡例表示部８０３から、例えば、「○」のマーク８０２が、温度を測定するセンサを備えたセンサユニットが装着されていることを表わし、「△」のマーク８０２が、ＣＯ２濃度を測定するセンサを備えたセンサユニットが装着されていることを表わしていることがわかる。従って、画面図８００によって、（ａ）に示すビルの各部屋に装着されているセンサユニットの有するセンサの種類を確認することができる。
【００５７】
再び、図１に戻って説明する。データ制御装置４は、ＬＡＮ８を介して接続された測定装置１毎に測定装置１の設置された環境条件に基づいて設定される第１補正データを格納する第１補正情報記憶部４５（第１補正情報記憶手段に相当する）と、外部からの入力を受け付けて第１補正情報記憶部４５に格納されている第１補正データを変更する第１補正情報変更部４６（第１補正情報変更手段に相当する）とを備え、センサユニット５が、ＬＡＮ８及び測定装置１を介して第１補正情報記憶部４５から第１補正データを取得し、取得された第１補正データを用いてセンサユニット５による測定結果情報の補正を行なう第１データ補正部５４（第１データ補正手段に相当する）を備えている。
【００５８】
センサユニット５が温度を測定するセンサを備え、室内の温度の測定を行なう場合について具体的に説明する。センサユニット５が装着された測定装置１が、電球やボイラー等の熱源からの熱（輻射熱を含む）の影響を受ける位置に設置されている際には、その影響を補正しない場合には、センサユニット５からの測定結果情報である温度Ｔが平均的な室内の温度Ｔ０よりも高めの値（Ｔ＞Ｔ０）となってしまい、本来の目的である室内の温度Ｔ０の測定が行なわれない。
【００５９】
そこで、第１補正情報記憶部４５に格納される第１補正データΔＴとして、次の（１）式で定義される値を設定しておく。
ΔＴ＝Ｔ０−Ｔ　　　（１）
そして、第１データ補正部５４は、センサユニット５からの測定結果情報である温度Ｔを、次の（２）式で定義される温度Ｔ’に補正する。
Ｔ’＝Ｔ＋ΔＴ　　　（２）
このようにして、センサユニット５からの測定結果情報である温度Ｔを、（２）式で定義される温度Ｔ’に補正することによって平均的な室内温度の測定が可能となる。
【００６０】
このようにして、測定装置１の設置された環境条件に基づいて設定される第１補正データを用いて、センサユニット５による測定結果情報の補正が行われるため、センサユニットの装着されている測定装置が設置されている環境条件（すなわちセンサユニットの設置されている環境条件）に適した測定結果情報の補正が行なわれる。
【００６１】
また、データ制御装置４の第１補正情報変更部４６によって、外部からの入力が受け付けられて補正情報記憶部４５に格納されている第１補正データが変更されるため、適正な第１補正データへの変更が容易に行なわれる。更に、ＬＡＮ８を介して接続された測定装置１毎に測定装置１の設置された環境条件に基づいて設定される第１補正データが、一元的にデータ制御装置４の第１補正情報記憶部４５に格納されるため、データの管理が効率的に行なわれる。
【００６２】
ここでは、第１データ補正部５４が、第１補正データを用いてセンサユニット５による測定結果情報の補正を行なう場合について説明したが、第１データ補正部５４が、第１補正データを用いてセンサユニット５の有するセンサを較正するためのデータである較正データの補正を行なう形態でもよい。この場合には、センサユニットの装着されている測定装置が設置されている環境条件（すなわちセンサユニットの設置されている環境条件）に適した較正データの補正が行なわれる。
【００６３】
再び、図１に戻って説明する。測定装置１は、センサユニット５が装着されたか否かを判定し、センサユニット５が装着された場合にその旨の情報であるセンサ装着情報をデータ制御装置４に伝送する装着判定部１４（装着判定手段に相当する）を備える。データ制御装置４は、測定装置１の装着判定部１４から伝送されたセンサ装着情報に基づいてセンサユニット５が測定装置１に装着されたタイミングからの経過時間をカウントする経過時間測定部４７（経過時間測定手段に相当する）と、経過時間測定部４７によって求められる経過時間に基づいて設定される第２補正データを格納する第２補正情報記憶部４８（第２補正情報記憶手段に相当する）と、経過時間測定部４７による経過時間に対応する第２補正データを第２補正情報記憶部４８から読み出してセンサユニット５へ伝送する第２補正データ送出部４９（第２補正データ送出手段に相当する）とを備える。センサユニット５は、ＬＡＮ８及び測定装置１を介して第２補正データ送出部４９から第２補正データを取得し、取得された第２補正データを用いて当該センサユニット５の有するセンサを較正するためのデータである較正データの補正を行なう第２データ補正部５５（第２データ補正手段に相当する）を備える。
【００６４】
センサユニット５が湿度を測定するセンサを備え、室内の湿度の測定を行なう場合について具体的に説明する。一般的に湿度センサは、センサ表面に埃等が付着することによって、経時的に（時間が経過する程）測定精度が低下する傾向がある。そこで、以下のようにして、時間が経過する程、較正頻度が高められるようにする。
【００６５】
まず、第２補正情報記憶部４８に格納される第２補正データとして、経過時間Ｔ２が長くなる程小さくなる第２補正データΔＴ２を予め格納しておく。そして、第２データ補正部５５を、取得された第２補正データΔＴ２を用いて、時間ΔＴ２（＝第２補正データΔＴ２）経過毎に当該センサユニット５の有するセンサを較正するように較正データを補正するものとする。ここで、較正データには、較正頻度を規定するデータが含まれているものとする。
【００６６】
このようにすると、経過時間測定部４７によって、センサユニット５が測定装置１に装着されたタイミングからの経過時間Ｔ２がカウントされ、第２補正データ送出部４９によって、経過時間測定部４７による経過時間Ｔ２に対応する第２補正データΔＴ２が第２補正情報記憶部４８から読み出されてセンサユニット５へ伝送される。センサユニット５の第２データ補正部５５によって、ＬＡＮ８及び測定装置１を介して第２補正データ送出部４９から第２補正データΔＴ２が取得され、取得された第２補正データΔＴ２を用いて、時間ΔＴ２（＝第２補正データΔＴ２）経過毎に当該センサユニット５の有するセンサを較正するように較正データが補正される。
【００６７】
このようにして、センサユニット５が装着されてからの経過時間Ｔ２が長くなる程、較正周期（＝時間ΔＴ２）が短くなる（すなわち、較正頻度が高くなる）ため、測定精度の低下が抑制される。
【００６８】
上述のように、センサユニット５が測定装置１に装着されたタイミングからの経過時間に基づいて設定される第２補正データを用いて、当該センサユニット５の有するセンサを較正するためのデータである較正データの補正が行なわれるため、センサユニットの有するセンサ等の経時的な特性の変化に適した較正データの補正が行なわれる。
【００６９】
ここでは、センサユニット５のデータ補正部５５が、当該センサユニット５の有するセンサを較正するためのデータである較正データの補正を行なう場合について説明したが、当該センサユニット５による測定結果情報の補正を行なう形態でもよい。この場合には、センサユニットの有するセンサ等の経時的な特性の変化に適した測定結果情報の補正が行なわれる。
【００７０】
再び、図１に戻って説明する。データ制御装置４は、測定装置１の装着判定部１４からセンサ装着情報を受信した場合に、このセンサ装着情報を送信した測定装置１について、測定結果情報の取得を開始するものである。
【００７１】
図３、４は、データ制御装置４の測定装置１からの測定結果情報の取得動作の一例を示す説明図である。ここでは、便宜上、データ制御装置４には２台の測定装置１ａ、１ｂがＬＡＮ８を介して通信可能に接続されており、初期状態では、２台の測定装置１ａ、１ｂには、センサユニット５が装着されておらず、あるタイミングＴＣで測定装置１ｂにセンサユニット５が装着される場合について説明する。図の上側から下側に向けて時間が経過しているものとする。
【００７２】
ここでは、データ制御装置４は、測定装置１ａ、１ｂに対して、センサユニット５が装着されているか否かの応答を要求する信号である「ユニット探索信号」と、センサユニット５による測定結果情報の送信を要求する「計測値要求信号」とを送信する。一方、測定装置１ａ、１ｂは、データ制御装置４からの「ユニット探索信号」を受信すると、センサユニット５が装着されているか否かを判定し、センサユニット５が装着されている場合にはその旨の情報であるセンサ装着情報として「応答（あり）」を返信し、センサユニット５が装着されていない場合にはその旨の情報として「応答（なし）」を返信する。また、測定装置１ａ、１ｂは、データ制御装置４からの「計測値要求信号」を受信すると、センサユニット５による測定結果情報として「応答（計測値）」を返信する。
【００７３】
図３は、データ制御装置４が測定装置１ａ、１ｂに対して、交互に「ユニット探索信号」を送信し、測定装置１ａ、１ｂから「応答（あり）」が返信された場合には、続けてその測定装置に対して「計測値要求信号」を送信する形態である。
【００７４】
図４は、データ制御装置４が測定装置１ａ、１ｂに対して、交互に「ユニット探索信号」または「計測値要求信号」を送信する形態であり、測定装置１ａ、１ｂから「応答（あり）」が返信された場合には、次のその測定装置への送信タイミングで「計測値要求信号」を送信する形態である。
【００７５】
図３及び図４に示すように、測定装置１にセンサユニット５が装着されていない場合には、センサ装着情報がデータ制御装置によって受信されないため、データ制御装置５によって測定結果情報の取得が行なわれない。すなわち、データ制御装置４によって、ＬＡＮ８を介して接続されている測定装置１の内、測定結果情報を取得する必要のある測定装置１（すなわち、センサユニット５が装着されている測定装置１）のみに対して測定結果情報の取得動作が行なわれるため、効率的に測定結果情報の取得が行なわれる。
【００７６】
再び、図１に戻って説明する。データ制御装置４は、測定装置１の装着判定部１４からセンサ装着情報を受信した場合に、このセンサ装着情報を送信した測定装置１について、測定結果情報の取得頻度を通常の取得頻度に対して所定期間高くするものである。
【００７７】
図５は、データ制御装置４の測定装置１からの測定結果情報の取得動作の一例を示す説明図である。ここでは、便宜上、データ制御装置４には２台の測定装置１ａ、１ｂがＬＡＮ８を介して通信可能に接続されており、初期状態では、２台の測定装置１ａ、１ｂには、センサユニット５が装着されておらず、あるタイミングＴＣで測定装置１ｂにセンサユニット５が装着される場合について説明する。図の上側から下側に向けて時間が経過しているものとする。
【００７８】
ここでは、データ制御装置４から測定装置１ａ、１ｂへの信号である「ユニット探索信号」及び「計測値要求信号」、測定装置１ａ、１ｂからデータ制御装置４への信号である「応答（あり）」、「応答（なし）」及び「応答（計測値）」の意味は、図３、４の場合と同様である。
【００７９】
図５は、データ制御装置４が、測定装置１ａまたは測定装置１ｂから「応答（あり）」が返信されるまでは、データ制御装置４が測定装置１ａ、１ｂに対して交互に「ユニット探索信号」を送信し、測定装置１ａ、１ｂから「応答（あり）」が返信された場合には、続けてその測定装置に対して「計測値要求信号」を送信する形態である。そして、「応答（あり）」が返信された測定装置（ここでは測定装置１ｂ）への「計測値要求信号」の送信頻度を、「応答（あり）」が返信されていない測定装置（ここでは測定装置１ａ）への「ユニット探索信号」の送信頻度の２倍とする形態である。この頻度を高くする期間は、図示されていないが、所定期間（例えば、１０秒）である。
【００８０】
センサユニット５が新たに測定装置１に装着された場合、または、センサユニット５が一旦なんらかの事情で測定装置１から取り外され、その後再度（又は、別のセンサユニット５が）測定装置１に装着された場合には、所定期間の間は測定結果が安定しない場合がある。このような場合に、図５に示すように、測定結果情報の取得頻度が通常の取得頻度に対して所定期間（測定結果が安定するまでの期間）高くされるため、監視装置２等によって、測定結果が安定したか否かの判定を正確に行なうことが可能となる。
【００８１】
なお、本発明は以下の形態をとることができる。
【００８２】
（Ａ）本実施形態においては、監視装置２が設置位置表示部２１及び個人情報表示部２２を備える場合について説明したが、ＤＢサーバ３が設置位置表示部２１及び個人情報表示部２２の少なくとも一方を備える形態でもよい。
【００８３】
（Ｂ）本実施形態においては、データ制御装置４が第１補正情報記憶部４５を備える場合について説明したが、測定装置１が第１補正情報記憶部４５を備える形態でもよい。
【００８４】
【発明の効果】
請求項１に記載の発明によれば、測定装置がセンサユニットを交換可能に接続されているため、測定対象である環境状態量を容易に変更することができる
請求項２に記載の発明によれば、センサユニットによる測定結果情報が監視装置によって外部から目視可能に表示されるため、測定状態を容易に監視することができる。また、センサユニットによる測定結果情報が、データベースサーバ装置によって一元的に格納されるため、データの管理を効率的に行なうことができる。
【００８５】
請求項３に記載の発明によれば、測定装置に接続されているセンサユニットの有するセンサの種類とその設置位置とが対応付けて表示されるため、センサユニットが交換された場合にも、現時点で測定装置に接続されているセンサの種類と設置位置とを容易に確認することができる。
【００８６】
請求項４、５に記載の発明によれば、測定装置の設置された環境条件に基づいて設定される第１補正データを用いて、センサユニットによる測定結果情報の補正（またはセンサユニットの有するセンサを較正するためのデータである較正データの補正）が行われるため、センサユニットの装着されている測定装置が設置されている環境条件に適した測定結果情報の補正（または較正データの補正）を行なうことができる。
【００８７】
請求項６に記載の発明によれば、センサユニットが測定装置に装着されたタイミングからの経過時間に基づいて設定される第２補正データを用いて、当該センサユニットによる測定結果情報の補正（または当該センサユニットの有するセンサを較正するためのデータである較正データの補正）が行なわれるため、センサユニットの有するセンサ等の経時的な特性の変化に適した測定結果情報の補正（または較正データの補正）が行なわれる。
【００８８】
請求項７に記載の発明によれば、データ制御装置によって、ローカルエリアネットワークを介して接続されている測定装置の内、測定結果情報を取得する必要のある測定装置のみに対して測定結果情報の取得動作が行なわれるため、効率的に測定結果情報の取得を行なうことができる。
【００８９】
請求項８に記載の発明によれば、センサユニットが新たに測定装置に装着された場合に、測定結果情報の取得頻度が通常の取得頻度に対して所定期間（測定結果が安定するまでの期間）高くされるため、監視装置等によって、測定結果が安定したか否かの判定を正確に行なうことができる。
【００９０】
請求項９に記載の発明によれば、個人情報記憶手段に格納された個人を識別する情報である個人情報とその個人情報を受信した測定装置のローカルアドレスとが対応付けられて外部から目視可能に表示されるため、測定装置に装着された個人情報処理ユニットに個人情報記憶手段を装着した者と場所とを特定することができる。
【図面の簡単な説明】
【図１】本発明に係る環境状態量の測定監視システムの構成を表わす構成図の一例である。
【図２】センサ種別情報及び設置位置情報が監視装置のモニタに表示された画面図の一例である。
【図３】データ制御装置の測定装置からの測定結果情報の取得動作の一例を示す説明図である。
【図４】データ制御装置の測定装置からの測定結果情報の取得動作の一例を示す説明図である。
【図５】データ制御装置の測定装置からの測定結果情報の取得動作の一例を示す説明図である。
【図６】従来の環境状態量の測定監視システムの構成図の一例である。
【符号の説明】
１　測定装置
１１　データ伝送部
１２　インターフェイス部
１３　センサ種別取得部（センサ種別取得手段に相当）
１４　装着判定部（装着判定手段に相当）
２　監視装置
２１　設置位置表示部（設置位置表示手段に相当）
２２　個人情報表示部（個人情報表示手段に相当）
３　ＤＢサーバ（データベースサーバ装置）
４　データ制御装置
４１　インターネット接続部
４２　データ伝送部
４３　設置位置記憶部（設置位置記憶手段に相当）
４４　設置位置対応付け部（設置位置対応付け手段に相当）
４５　第１補正情報記憶部（第１補正情報記憶手段に相当）
４６　第１補正情報変更部（第１補正情報変更手段に相当）
４７　経過時間測定部（経過時間測定手段に相当）
４８　第２補正情報記憶部（第２補正情報記憶手段に相当）
４９　第２補正データ送出部（第２補正データ送出手段に相当）
５　センサユニット
５１　インターフェイス部
５２　センサ部
５３　センサ種別記憶部（センサ種別記憶手段に相当）
５４　第１データ補正部（第１データ補正手段に相当）
５５　第２データ補正部（第２データ補正手段に相当）
６　個人情報処理ユニット
６１　インターフェイス部（個人情報伝送手段に相当）
６２　個人情報読出し部（個人情報読出し手段に相当）
７　ＩＤカード（個人情報記憶手段に相当）
８　ＬＡＮ（ローカルエリアネットワーク）
９　ＷＷＷ（インターネット）
【図１】
2004094870.tif 000003
【図２】
2004094870.tif 000004
【図３】
2004094870.tif 000005
【図４】
2004094870.tif 000006
【図５】
2004094870.tif 000007
【図６】
2004094870.tif 000008